(57)【特許請求の範囲】
【請求項１】
それぞれがセルを形成し、該セルに対して定められた放送スケジュールに従って、番組に通信チャネルを割り当てて、該番組のデータをブロードキャストする複数のアクセス網装置と、
ユーザの所望する番組に割り当てられている通信チャネルを選択して、前記アクセス網装置からブロードキャストされた番組のデータを受信する機能と、前記セルから出るときあるいは前記セルに入るときに、データを受信する前記番組を示す視聴情報を送出する機能とを備える端末装置と、
前記アクセス網装置からブロードキャストされる番組のデータを受信する前記端末装置から、前記視聴情報を収集し、該視聴情報に基づいて、前記セル毎に、時間帯毎の番組カテゴリに対する視聴者数を含む視聴動向を算出し、前記視聴動向に基づいて、前記各セルについて、視聴者数が多い番組カテゴリの番組を優先することにより、各時間帯に放送する番組を定めた放送スケジュールを作成する放送スケジュール作成装置と、を有する放送システム。
【請求項２】
それぞれがセルを形成する複数のアクセス網装置が、セル毎に、番組に通信チャネルを割り当てて、該番組のデータをブロードキャストするアクセス網で用いられる放送スケジュールを作成するための放送スケジュール作成方法であって、
ユーザの所望する番組に割り当てられている通信チャネルを選択して、前記アクセス網によってブロードキャストされる番組のデータを受信する機能と、前記セルから出るときあるいは前記セルにはいるときに、データを受信する前記番組を示す視聴情報を送出する機能とを備える端末装置から、前記視聴情報を取得し、
取得した前記視聴情報に基づいて、前記セル毎に、時間帯毎の番組カテゴリに対する視聴者数を含む視聴動向を算出し、
算出した前記視聴動向に基づいて、前記各セルについて、視聴者数が多い番組カテゴリの番組を優先することにより、各時間帯に放送する番組を定めた放送スケジュールを作成する放送スケジュール作成方法。
【発明の詳細な説明】
【技術分野】
【０００１】
本発明は、複数のエリアを構成する通信システムにおいて各エリアに番組のデータをブロードキャストする技術に関する。
【背景技術】
【０００２】
無線基地局によって構成されるセルで通信エリアをカバーする無線通信システムでは、複数のセルを配置することによって広範囲の無線端末の通信を可能にする。例えばＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）では、フェムトセルと呼ばれる小規模のセルで通信エリアをカバーすることによって様々な場所での通信が可能となる。この種の無線通信システムにおいて、複数の無線端末に対して番組のデータをブロードキャストする通信形態がある（特許文献１、２参照）。
【０００３】
無線通信システムで使用可能な帯域内には複数の無線チャネルが定義されており、その中から番組をブロードキャストするための無線チャネルが選択される。選択された無線チャネルでは、無線基地局から番組のデータがブロードキャストされる。ユーザは、番組がブロードキャストされている無線チャネルのデータを無線端末で受信することにより番組を視聴することができる。放送形態として、予め定められた放送スケジュールに従って所定の時間帯に所定の番組を放送する形態が一般的である。
【０００４】
ところで、無線通信システムでは無線資源は有限である。また、無線チャネルはポイントツーポイントの通話にも用いられるので、番組のブロードキャストに用いることのできる無線チャネルの数は更に制限される。その一方で全てのセルで全ての番組が視聴されるとは限らない。あるセルでは視聴される番組が他のセルでは視聴されないということが起こりうる。
【０００５】
それに対して、特許文献３には、視聴者による過去の番組視聴の動向を収集し、収集された視聴動向に基づいて番組の放送スケジュールを作成する技術が記載されている。
【特許文献１】特表２００５−５１６４７４号公報
【特許文献２】特開２００７−１７４６４５号公報
【特許文献３】特開２００６−３２５０６１号公報
【発明の開示】
【発明が解決しようとする課題】
【０００６】
特許文献３に記載されている技術は、視聴者毎の番組編成を生成するものであり、無線通信システムのセルに代表されるようなエリア毎の放送スケジュールを作成するものではない。そのため、その技術は、視聴者の希望する番組が選択することはできるが、各エリアの通信チャネルを有効に利用することができるものではなかった。
【０００７】
本発明の目的は、通信チャネルを有効利用するとともに視聴者の希望する番組をブロードキャストする技術を提供することである。
【課題を解決するための手段】
【０００８】
上記目的を達成するために、本発明の放送システムは、
所定の放送スケジュールに従って、エリア毎に、番組に通信チャネルを割り当てて、該番組のデータをブロードキャストするアクセス網装置と、
前記アクセス網装置からブロードキャストされる番組のデータを受信する端末装置から、番組に対する視聴要求を収集し、該視聴要求に基づいて前記エリア毎の視聴動向を算出し、前記視聴動向に基づいて前記各エリアの放送スケジュールを作成する放送スケジュール作成装置と、を有している。
【０００９】
本発明の放送スケジュール作成装置は、エリア毎に、番組に通信チャネルを割り当てて、該番組のデータをブロードキャストするアクセス網で用いられる放送スケジュールを作成する放送スケジュール作成装置であって、
前記アクセス網によってブロードキャストされる番組のデータを受信する端末装置から番組に対する視聴要求を取得する視聴情報取得手段と、
前記視聴情報取得手段により取得された前記視聴要求に基づいて、前記エリア毎の視聴動向を算出する視聴動向算出手段と、
前記視聴動向算出手段により算出された前記視聴動向に基づいて、前記各エリアの放送スケジュールを作成する放送スケジュール決定手段と、を有している。
【００１０】
本発明の放送スケジュール作成方法は、エリア毎に、番組に通信チャネルを割り当てて、該番組のデータをブロードキャストするアクセス網で用いられる放送スケジュールを作成するための放送スケジュール作成方法であって、
前記アクセス網によってブロードキャストされる番組のデータを受信する端末装置から番組に対する視聴要求を取得し、
取得した前記視聴要求に基づいて、前記エリア毎の視聴動向を算出し、
算出した前記視聴動向に基づいて、前記各エリアの放送スケジュールを作成するものである。
【００１１】
本発明の放送スケジュール作成プログラムは、エリア毎に、番組に通信チャネルを割り当てて、該番組のデータをブロードキャストするアクセス網で用いられる放送スケジュールを作成する放送スケジュール作成装置としてコンピュータを動作させるための放送スケジュール作成プログラムであって、
前記アクセス網によってブロードキャストされる番組のデータを受信する端末装置から番組に対する視聴要求を取得する手順と、
取得した前記視聴要求に基づいて、前記エリア毎の視聴動向を算出する手順と、
算出した前記視聴動向に基づいて、前記各エリアの放送スケジュールを作成する手順と、コンピュータに実行させるためのプログラムである。
【発明の効果】
【００１２】
本発明によれば、過去に放送された番組の視聴動向に基づいてエリア毎に放送スケジュールを作成し、その放送スケジュールに従って、各エリアにおいて通信チャネルを番組に割り当ててデータをブロードキャストするので、限られた通信チャネルを有効利用して視聴者の希望する番組をブロードキャストすることが可能となる。
【発明を実施するための最良の形態】
【００１３】
本発明を実施するための形態について図面を参照して詳細に説明する。
【００１４】
図１は、本実施形態による無線通信システムの構成を示すブロック図である。図１を参照すると、無線通信システムは、基地局装置１１、ゲートウェイ装置１２、放送サーバ１３、および放送スケジュール作成装置１４を有している。基地局装置１１とゲートウェイ装置１２で無線アクセス網１６を構成している。基地局装置１１は無線端末１５との間で無線チャネルによりデータを送受信する。
【００１５】
本実施形態の無線通信システムは、音声通話に代表されるポイントツーポイントの双方向通信の他に、基地局装置１１から複数の無線端末１５に対して番組のデータをブロードキャストする放送形式の通信もサポートする。放送サーバ１３および放送スケジュール作成装置１４は番組のブロードキャストを実現するための装置である。
【００１６】
放送サーバ１３は、与えられた放送スケジュールに従って番組のデータを出力する。放送スケジュールは放送スケジュール作成装置１４により作成され、放送サーバ１３に与えられる。放送スケジュールでは、放送される番組とその番組が放送される時間帯との対応付けが各セルについて規定されている。時間帯は開始時刻と終了時刻で定められる。したがって、同じ時間帯であってもブロードキャストされる番組がセル毎に異なることもある。例えば、競技場の付近だけでスポーツ中継がブロードキャストされるというように、ある施設の付近のセルでのみ、その施設に関連する番組がブロードキャストされるということがある。
【００１７】
放送サーバ１３から出力されたデータは一例として、ネットワーク（不図示）とゲートウェイ装置１２を経由して基地局装置１１に送られ、基地局装置１１から無線チャネルで無線端末１５にブロードキャストされる。
【００１８】
無線端末１５は、基地局装置１１を介してデータを送受信することによりユーザの所望の通信を実現する装置である。番組に関しては、無線端末１５は、基地局装置１１から無線チャネルでブロードキャストされている複数の番組の中からユーザの所望する番組を選択し、その番組のデータを受信することができる。これによりユーザは所望の番組の視聴が可能となる。上述したように、ユーザの視聴できる番組がセル毎に異なることもある。
【００１９】
また、無線端末１５は、受信している番組を示す視聴情報を基地局装置１１経由で放送スケジュール作成装置１４に送る。この視聴情報には、視聴者の視聴者情報が付加されている。視聴者情報は、予め無線端末１５に登録されていてもよく、また視聴者の操作によって入力されてもよい。視聴者情報には視聴者の属性を示す情報が含まれる。視聴者の属性として例えば性別や年齢が含まれる。この視聴者情報は視聴者個人を特定するものであってもよく、あるいは属性だけを示す情報であってもよい。
【００２０】
視聴情報を送出するタイミングの例として、ユーザが番組の視聴を開始あるいは終了するための操作をしたとき、視聴している番組を変更するための操作をしたとき、が考えられる。また、無線端末１５が番組を視聴中に、ある基地局装置１１のセルに入ったとき、あるいはそのセルから出たとき、視聴情報を送出することにしてもよい。また、他の例として一定時間間隔で視聴情報を送出することにしてもよい。
【００２１】
放送スケジュール作成装置１４は、どのセルでどの時間帯にどの番組をブロードキャストするかという放送スケジュールを作成し、放送サーバ１３および基地局装置１１に通知する。
【００２２】
放送スケジュールを作成する際、放送スケジュール作成装置１４は、無線端末１５からの視聴情報を集計して各セルにおける視聴動向を算出する。視聴動向には、例えば、各セルで放送された番組の番組カテゴリと、その番組の視聴者属性毎の視聴者数とが含まれる。番組カテゴリは例えば、ニュース番組、スポーツ中継、音楽番組、ドラマ、アニメーション番組などである。視聴者属性には、例えば性別および年齢層が含まれる。この視聴動向から、どの時間帯にどの番組カテゴリの視聴者が多いか、どの時間帯にどの属性の視聴者が多いか等を知ることができる。
【００２３】
そして、放送スケジュール作成装置１４は、算出した視聴動向に基づいて、多くの番組を多くの視聴者が視聴することになるように、セル毎の放送スケジュールを作成する。
【００２４】
放送スケジュールは、ある番組をブロードキャストする時間帯を共通にし、セル毎にブロードキャストするか否かを選択したものであってもよい。そうすれば、放送サーバ１３は同じ番組のデータを異なる時間帯に何度も送出する必要がなくなり、放送サーバ１３およびネットワーク（不図示）の負荷が低減される。また、無線端末１５がセル間を移動しても、同じ番組がブロードキャストされているセル同士であれば、その無線端末１５のユーザは同じ番組の視聴を継続することができる。
【００２５】
また、視聴動向から放送スケジュールを作成するとき、放送スケジュール作成装置１４は他の装置（不図示）からの情報を利用してもよい。例えば、放送スケジュール作成装置１４は、視聴動向をネットワーク上に公開するとともに、視聴動向に基づく放送スケジュールの提案をネットワーク経由で受け付けることにしてもよい。あるいは放送スケジュール作成装置１４は視聴動向から、各セルにおける番組のブロードキャストを委託するときの委託料金を決定し、番組を提供する業者からの委託を受け付けることにしてもよい。
【００２６】
ゲートウェイ装置１２は、各基地局装置１１を不図示のネットワークに接続するための装置である。
【００２７】
基地局装置１１は、無線端末１５と無線チャネルでデータを送受信する装置である。図２に示すように、複数の基地局装置１１のセルで広範囲をカバーすることにより、様々な場所で無線端末１５による通信が可能となる。放送番組に関して、基地局装置１１は、放送スケジュール作成装置１４によって作成された放送スケジュールに従って、放送サーバ１３から送出された番組のデータを無線チャネルでブロードキャストする。
【００２８】
なお、ゲートウェイ装置１２が各基地局装置１１の無線チャネルの割り当てを管理し、放送スケジュール作成装置１４の決定に従って、放送装置１３からの番組のデータに対する無線チャネルの割り当てを行うことにしてもよい。その場合、基地局装置１１は、ゲートウェイ装置１２による割り当てに従って、無線チャネルで番組のデータをブロードキャストすればよい。
【００２９】
図３は、放送スケジュール作成装置１４の構成を示すブロック図である。図３を参照すると、放送スケジュール作成装置１４は、視聴情報取得部２１、視聴動向算出部２２、放送スケジュール決定部２３、および通知部２４を有している。
【００３０】
視聴情報取得部２１は、各セルにおいてブロードキャストされている番組を視聴するユーザの無線端末１５から視聴情報を取得し、蓄積する。
【００３１】
視聴動向算出部２２は、視聴情報取得部２１によって蓄積された視聴情報をセル毎に集計し、集計した視聴情報を基にして、各セルにおける視聴動向を算出する。
【００３２】
放送スケジュール決定部２３は、視聴動向算出部２１で算出された視聴動向に基づいて、各セルの放送スケジュールを決定する。例えば、放送スケジュールは放送日の一定期間前に作成される。その一定期間を短くすれば新しい視聴動向を用いることができる。一定期間は、放送スケジュールの決定から放送日までの間に必要な準備期間等を考慮して決めればよい。
【００３３】
通知部２４は、放送スケジュール決定部２３によって決定された放送スケジュールを放送サーバ１３および各セルの基地局装置１１に通知する。その際、通知部２４は、放送サーバ１３へは全てのセルの放送スケジュールを通知し、基地局装置１１へはそのセルの放送スケジュールを通知すればよい。また、例えば、通知部２４は、放送サーバ１３へは、決定した放送スケジュールの全体を即座に通知し、基地局装置１１へは、放送スケジュールを番組毎に分割し、番組の放送開始時刻に通知することにしてもよい。
【００３４】
図４は、放送スケジュール作成装置１４の動作を示すフローチャートである。図４を参照すると、放送スケジュール作成装置１４は、各セルにおいてブロードキャストされている番組を視聴するユーザの無線端末１５から視聴情報を取得する（ステップ１０１）。次に、放送スケジュール作成装置１４は、取得した視聴情報を基にして、各セルにおける視聴動向を算出する（ステップ１０２）。
【００３５】
次に、放送スケジュール作成装置１４は、算出した視聴動向に基づいて、各セルの放送スケジュールを決定する（ステップ１０３）。視聴動向から放送スケジュールを作成するとき、放送スケジュール作成装置１４は他の装置からの情報を利用してもよい。放送スケジュールを決定する処理の詳細については後述する。最後に、放送スケジュール作成装置１４は、決定した放送スケジュールを放送サーバ１３および各セルの基地局装置１１に通知する（ステップ１０４）。
【００３６】
以上説明したように、本実施形態によれば、過去に放送された番組の視聴動向に基づいてセル毎に放送スケジュールを作成し、その放送スケジュールに従って、各セルにおいて無線チャネルを番組に割り当ててデータをブロードキャストするので、限られた無線チャネルを有効利用して視聴者の希望する番組をブロードキャストすることが可能となる。
【００３７】
なお、本実施形態では、放送スケジュール作成装置１４は視聴者による実際の視聴実績を視聴情報として集計し、放送スケジュールの作成に用いたが、本発明はこれに限定されるものではない。他の例として、実際に放送された番組の視聴実績と、放送されなかった番組に対する視聴希望とを含む視聴要求を視聴情報として集計し、放送スケジュールの作成に用いることにしてもよい。そうすることにより、未放送の番組に対する視聴の要求をも放送スケジュールに反映することができる。その場合、無線端末１５は、受信している番組を示す情報と、実際に受信してはいないがユーザが視聴を希望する番組を示す情報とを視聴情報として基地局装置１１経由で放送スケジュール作成装置１４に送ることにすればよい。
【００３８】
続いて、放送スケジュールを決定する処理の詳細について実施例を用いて説明する。
【００３９】
（第１の実施例）
第１の実施例は、視聴動向をネットワーク上に公開し、視聴動向に基づく放送スケジュールの提案を外部業者からネットワーク経由で受け付ける構成である。
【００４０】
図５は、第１の実施例による無線通信システムの構成を示すブロック図である。図５を参照すると、無線通信システムは、放送サーバ１３、放送スケジュール作成装置１４、および無線アクセス網１６の他に複数の外部業者端末３１を有している。放送サーバ１３、放送スケジュール作成装置１４、無線アクセス網１６、および外部業者端末３１はネットワーク３２に接続されている。
【００４１】
放送スケジュール作成装置１４は、算出した視聴動向をネットワーク３２上に公開する。公開された視聴動向は外部業者端末３１から閲覧することができる。また、放送スケジュール作成装置１４は、視聴動向に基づく放送スケジュールの提案を外部業者端末３１からネットワーク３２経由で受け付ける。
【００４２】
外部業者端末３１からは放送スケジュール候補のデータが送信されて来るので、放送スケジュール作成装置１４は、それを蓄積しておき、受付期間が終了した後に、候補の中から採用する放送スケジュールを選択する。例えば、外部業者からの放送スケジュール候補の提案を受け付ける受付期間は予め定められた一定期間とすればよい。また例えば、放送スケジュール作成装置１４は、蓄積した候補を比較することにより、それぞれの候補について他の候補との共通度を算出し、最も共通度の高い候補を選択することにしてもよい。共通度は、同じ時間帯に同じ番組が割り当てられている度合とすればよい。
【００４３】
放送スケジュール作成装置１４は、選択した放送スケジュールを放送サーバ１３および無線アクセス網１６の基地局装置（不図示）に通知する。
【００４４】
外部業者端末３１は、放送スケジュールを提案する業者の用いる端末であり、放送スケジュール作成装置１４によって公開された視聴動向を表示し、またユーザの作成した放送スケジュールの候補をスケジュール作成装置１４に送信する。
【００４５】
図６は、第１の実施例における放送スケジュール作成装置１４による放送スケジュールを決定する処理を示すフローチャートである。
【００４６】
図６を参照すると、放送スケジュール作成装置１４は、まず、算出した視聴動向をネットワーク３２上に公開する（ステップ２０１）。放送スケジュール作成装置１４は受付期間の間、視聴動向を公開する。次に、放送スケジュール作成装置１４は、受付期間において外部業者端末３１からの放送スケジュール候補のデータを受け付ける（ステップ２０２）。
【００４７】
受付期間が終了した後、放送スケジュール作成装置１４は、放送スケジュール候補の中から採用する放送スケジュールを選択する（ステップ２０３）。
【００４８】
本実施例によれば、複数の外部業者の提案する候補を比較してその中から採用する放送スケジュールを選択するので、放送スケジュールの客観性が向上する。また、採用された放送スケジュールを提案した外部業者に対し、その放送スケジュールによる番組の視聴実績に応じた採用代金を支払うことにしてもよい。そうすることにより、視聴者の希望する番組をより適切に選択して放送スケジュールに組み込むことが可能となる。
【００４９】
（第２の実施例）
第２の実施例は、視聴動向から、各セルにおける番組のブロードキャストを委託するときの委託料金を決定し、その委託料金で、番組を提供する業者からの委託を受ける構成である。
【００５０】
図７は、第２の実施例による無線通信システムの構成を示すブロック図である。図７を参照すると、無線通信システムは、放送サーバ１３、放送スケジュール作成装置１４、および無線アクセス網１６の他に複数の番組配信業者端末４１を有している。放送サーバ１３、放送スケジュール作成装置１４、無線アクセス網１６、および番組配信業者端末４１はネットワーク３２に接続されている。
【００５１】
放送スケジュール作成装置１４は、算出した視聴動向に基づいて、セル毎に、作成しようとする放送スケジュールに含まれる各時間帯における委託料金を算出し、セル毎の視聴動向と委託料金をネットワーク３２上に公開する。そして、放送スケジュール作成装置１４は、一定の受付期間の間、番組配信業者端末４１から放送スケジュールへの組み込みの申し込みを受け付ける。
【００５２】
委託料金は、例えば、全ての番組カテゴリにおける視聴者数の平均値が大きいセルおよび時間帯の委託料金を高額とすればよい。そうすることにより、視聴者数の多い時間帯に委託の申し込みが集中するのを緩和することができる。
【００５３】
また、同じセルの同じ時間帯でも委託する番組のカテゴリによって委託料金を変えることにしてもよい。視聴動向に基づいて、各セルにおける時間帯と番組カテゴリとの組み合わせに対して予想される視聴者数（見込み視聴者数）を予め算出しておき、見込み視聴者数に応じて委託料金を設定すればよい。例えば、あるセルのある時間帯において、見込み視聴者数の多いカテゴリの番組は料金を低額にすればよい。そうすることにより、多くの視聴者が視聴する可能性の高い番組が放送スケジュールに組み込まれやすくなる。
【００５４】
番組のブロードキャストの申し込みには、例えば、番組およびそのカテゴリと、希望する時間帯およびセルとを示す情報が含まれている。希望する時間帯およびセルについては複数の希望を指定できることにしてもよい。
【００５５】
受付期間が終了すると、放送スケジュール作成装置１４は、受け付けた申し込みを集計し、各番組配信業者からの申し込み内容を、視聴者の総数が多くなるように組み合わせて放送スケジュールを作成する。
【００５６】
例えば、放送スケジュール作成装置１４は、セル内で同じ時間帯に割り当てられる番組の数が、使用可能な無線チャネルの数を超えないように、番組配信業者の番組を組み合わせて、上記の見込み視聴者数の総計が最大となるように放送スケジュールを作成すればよい。そうすることにより、多くの視聴者が番組を視聴するような放送スケジュールを作成することができる。
【００５７】
図８は、第２の実施例における放送スケジュール作成装置１４による放送スケジュールを決定する処理を示すフローチャートである。
【００５８】
図８を参照すると、放送スケジュール作成装置１４は、算出した視聴動向から委託料金を算出し（ステップ３０１）、受付期間の間、視聴動向と委託料金の情報をネットワーク３２上に公開する（ステップ３０２）。次に、放送スケジュール作成装置１４は、受付期間において番組配信業者端末４１からの申し込みを受け付ける（ステップ３０３）。
【００５９】
受付期間が終了した後、放送スケジュール作成装置１４は、各番組配信業者４１からの申し込み内容を基にして、放送スケジュールを決定する（ステップ３０４）。
【００６０】
本実施例によれば、番組配信業者の希望する時間帯およびセルにおける番組の放送を視聴者数が多くなるように番組を組み合わせて放送スケジュールを作成するので、番組配信業者の希望と視聴者の希望を考慮し、通信チャネルを有効利用して視聴者数の多い放送スケジュールを作成することができる。
【００６１】
なお、上述した実施形態および実施例の放送スケジュール作成装置１４は、各部の処理手順を規定したソフトウェアプログラムをコンピュータに実行させることにより実現することもできる。
【００６２】
以上、本発明の実施形態について述べてきたが、本発明は、これらの実施形態だけに限定されるものではなく、本発明の技術思想の範囲内において、これらの実施形態を組み合わせて使用したり、一部の構成を変更したりしてもよい。
【図面の簡単な説明】
【００６３】
【図１】本実施形態による無線通信システムの構成を示すブロック図である。
【図２】複数の基地局装置１１によって広範囲をカバーする様子を示す図である。
【図３】放送スケジュール作成装置１４の構成を示すブロック図である。
【図４】放送スケジュール作成装置１４の動作を示すフローチャートである。
【図５】第１の実施例による無線通信システムの構成を示すブロック図である。
【図６】第１の実施例における放送スケジュール作成装置１４による放送スケジュールを決定する処理を示すフローチャートである。
【図７】第２の実施例による無線通信システムの構成を示すブロック図である。
【図８】第２の実施例における放送スケジュール作成装置１４による放送スケジュールを決定する処理を示すフローチャートである。
【符号の説明】
【００６４】
１１    基地局装置
１２    ゲートウェイ装置
１３    放送サーバ
１４    放送スケジュール作成装置
１５    無線端末
１６    無線アクセス網
２１    視聴情報取得部
２２    視聴動向算出部
２３    放送スケジュール決定部
２４    通知部
３１    外部業者端末
３２    ネットワーク
４１    番組配信業者端末
【図１】
0004412511.tif 000002
【図２】
0004412511.tif 000003
【図３】
0004412511.tif 000004
【図４】
0004412511.tif 000005
【図５】
0004412511.tif 000006
【図６】
0004412511.tif 000007
【図７】
0004412511.tif 000008
【図８】
0004412511.tif 000009